(57)【要約】【課題】画像情報の配信先において、画像情報の配信側での画像出力形態と同様の画像出力形態での出力を行なわせる。【解決手段】画像情報蓄積手段１４と、画像情報蓄積手段１４に蓄積した画像を所定の画像出力形態で出力する印刷手段１７と、ネットワーク接続手段１３と、を備えた画像通信装置１において、画像情報蓄積手段１４に蓄積した画像情報にかかる画像を当該画像情報に含まれない画像出力形態の設定で印刷手段手段１７から出力する場合において、当該画像出力形態の設定に従った画像情報を、ネットワーク接続手段１３により配信される画像情報として生成する画像情報変換手段１５を備えたことを特徴とする。【選択図】　　　　図１
2004072156.tif 000002
【特許請求の範囲】
【請求項１】
画像情報を蓄積する画像情報蓄積手段と、
前記画像情報蓄積手段に蓄積した画像情報にかかる画像を所定の画像出力形態で出力する画像出力手段と、
ネットワークに接続し、当該ネットワークに接続された画像通信装置に前記画像情報を配信する画像配信手段と、
を備えた画像通信装置において、
前記画像情報蓄積手段に蓄積した前記画像情報にかかる画像を前記画像出力手段から出力したときの、当該画像出力形態の設定が反映された画像情報を、前記画像配信手段により配信される画像情報として生成する画像情報生成手段を備えたことを特徴とする画像通信装置。
【請求項２】
前記画像出力形態の設定は、前記画像情報蓄積手段に蓄積された前記画像情報にかかる画像の集約出力、分割出力、逆順出力、および／またはマルチ部数印刷を含むことを特徴とする請求項１に記載の画像通信装置。
【請求項３】
画像情報を蓄積する画像情報蓄積手段と、
前記画像情報蓄積手段に蓄積した画像情報にかかる画像を所定の画像出力形態で出力する画像出力手段と、
ネットワークに接続し、当該ネットワークに接続された画像通信装置に前記画像情報を配信する画像配信手段と、
を備えた画像通信装置において、
前記画像情報蓄積手段に蓄積した前記画像情報にかかる画像を前記画像出力手段から出力したときのページ順とは逆のページ順に変換した画像情報として生成する画像情報生成手段を備えたことを特徴とする画像通信装置。
【請求項４】
ファクシミリ送受信手段および／または原稿画像読取り手段を備え、前記画像情報蓄積手段には、前記ファクシミリ送受信手段により受信した画像情報または原稿画像読取り手段により読み取った画像情報が蓄積されることを特徴とする請求項１から３の何れか１つに記載の画像通信装置。
【請求項５】
前記画像情報生成手段が、前記画像出力形態の設定が反映された画像情報を前記画像配信手段により配信される画像情報として生成するか、しないかを選択する配信画像タイプ選択手段を備えたことを特徴とする請求項１から４の何れか１つに記載の画像通信装置。
【請求項６】
前記画像出力手段が印刷出力手段または画像表示手段であることを特徴とする請求項１から５の何れか１つに記載の画像通信装置。
【発明の詳細な説明】
【０００１】
【発明の属する技術分野】
本発明は、画像情報の配信先において、画像情報の配信側での画像出力形態と同様の画像出力形態での出力を行なわせることで、配信先の画像通信装置において配信元の画像通信装置で設定している画像出力形態と同様の出力形態で、配信された画像を出力することができる画像通信装置に関する。
【０００２】
【従来の技術】
近年、ネットワークに接続機能を備えたファクシミリ装置では、ファクシミリ受信した画像情報を、ネットワーク上の他の画像通信装置（ファクシミリ装置やコンピュータ等）に画像ファイルとして配信するといったことが行われるようになっている。また、この種のファクシミリ装置では、画像読取り装置（スキャナー）を備えており、読み取った画像をネットワーク上の他の画像通信装置に、ディスプレイ出力可能な適宜のフォーマット（ＴＩＦＦ、ＰＤＦ、ＪＰＥＧ等）の画像ファイルとして配信することもできる。
【０００３】
画像を、画像ファイルとして送受信することで、送信側および受信側双方の画像通信装置でのペーパレス化を図ることができる。
【０００４】
【発明が解決しようとする課題】
ところで、ペーパレス化といえども、文書によっては印刷した紙により保存しなくてはならないケースは多々生じる。
【０００５】
配信元となる画像通信装置では、ファクシミリ受信した画像情報にかかる画像を、当該画像通信装置での設定にしたがった印刷形態で印刷する一方、受信した画像情報を、そのまま配信先の画像通信装置に配信し、配信先の画像通信装置では、配信された画像を付属プリンタ等により出力することになる。
【０００６】
このとき、配信元の画像通信装置側での印刷に際して設定されている印刷形態は、配信先の画像通信装置側での印刷には反映されない。たとえば、配信元の画像通信装置側で、集約印刷、マルチ部数印刷等の出力形態の設定をして文書印刷をすることが、当該文書の利用等の便宜となるような場合がある。しかし、配信先の画像通信装置側における印刷には、送信元の出力形態の設定が反映されない。
【０００７】
また、配信元となる画像通信装置において逆順で文書受信をした場合、当該受信文書をそのまま配信先となる画像通信装置に配信してしまうと、当該配信先の画像通信装置側での受信文書はページ順が逆に出力されてしまう。このような不都合は、配信先の画像通信装置側で印刷をする場合はもちろん、ペーパレス受信した場合（印刷を前提とせずにファイルとして受信した場合）においてディスプレイに受信文書を表示する場合にも生じる。
【０００８】
本発明の目的は、画像データの配信先において画像配信側での画像の印刷形態と同様の印刷形態での印刷を行なわせることで、配信先の画像通信装置で、送信側の画像通信装置で設定している印刷形態と同様の画像を出力することができる画像通信装置を提供することにある。
【０００９】
【課題を解決するための手段】
本発明の画像通信装置は、画像情報を蓄積する画像情報蓄積手段と、前記画像情報蓄積手段に蓄積した受信画像情報にかかる画像を所定の画像出力形態で出力する画像出力手段と、ネットワークに接続し、当該ネットワークに接続された画像通信装置に前記画像情報を配信する画像配信手段とを備えたもので、前記画像情報蓄積手段に蓄積した前記画像情報にかかる画像を前記画像出力手段（印刷出力手段または画像表示手段）から出力したときの、当該画像出力形態の設定が反映された画像情報を、前記画像配信手段により配信される画像情報として生成する画像情報生成手段を備えたことを特徴とする。
【００１０】
前記画像蓄積手段には、ファクシミリデータ送受信手段により受信した画像情報，原稿画像読取り手段により読み取った画像情報が蓄積される。本発明では、配信元の画像通信装置側での出力形態が反映された画像情報が、配信先の画像通信装置に配信される。すなわち、配信元の画像通信装置側で配信する画像の出力形態について有益な設定がなされているときは、当該出力形態が配信先の画像通信装置で実現される。
【００１１】
ここで、前記画像出力形態の設定は、前記画像情報蓄積手段に蓄積された前記画像情報にかかる画像の集約出力、分割出力、逆順出力、および／またはマルチ部数印刷を含む。
【００１２】
また、本発明は、画像情報を蓄積する画像情報蓄積手段と、前記画像情報蓄積手段に蓄積した画像情報にかかる画像を所定の画像出力形態で出力する画像出力手段（印刷出力手段または画像表示手段）と、ネットワークに接続し、当該ネットワークに接続された画像通信装置に前記画像情報を配信する画像配信手段とを備えたもので、前記画像情報蓄積手段に蓄積した前記画像情報にかかる画像を前記画像出力手段から出力したときのページ順とは逆のページ順に変換した画像情報として生成する画像情報生成手段を備えたことを特徴とする。
【００１３】
本発明の画像通信装置は、ファクシミリ送受信手段および／または原稿画像読取り手段を備えることができ、前記画像情報蓄積手段には、前記ファクシミリ送受信手段により受信した画像情報または原稿画像読取り手段により読み取った画像情報が蓄積される。
さらに、前記画像情報生成手段が、前記画像出力形態の設定が反映された画像情報を前記画像配信手段により配信される画像情報として生成するか、しないかを選択する配信画像タイプ選択手段を備えることができる。
【００１４】
本発明において、集約出力（集約印刷，集約表示）とは、たとえばファクシミリ受信した２ページ分の画像、画像読取り装置により読み取った２ページ分の画像を１ページに集約して印刷手段により印刷したり、画像表示手段を用いて表示することである。たとえば、ＪＩＳ規格Ａ４サイズの原稿２ページ分をＪＩＳ規格Ａ３サイズの用紙１枚に印刷すること、ＪＩＳ規格Ａ５サイズの原稿２ページ分をＪＩＳ規格Ａ４サイズの用紙１枚に印刷することである。
【００１５】
配信元の画像通信装置のたとえば印刷手段の設定が、集約印刷に設定されているとき、画像情報蓄積手段に蓄積したファクシミリ受信した画像情報にかかる画像や画像読取り手段により読み取った画像を、集約印刷の形態にデータを変換して配信する。
これにより、配信先の画像通信装置側の任意のプリンタ等で、何らの設定を行なわずに集約印刷を実現でき紙の無駄をなくすことができる。また、配信先の画像通信装置側のディスプレイ等で、何らの設定を行なわずに集約表示を実現でき、表示の最適化をはかることができる。
【００１６】
本発明において、分割出力とは、たとえばファクシミリ受信した１ページ分の画像、画像読取り装置により読み取った１ページ分の画像を２ページに分割して印刷手段や画像表示手段に出力することであり、たとえば、ＪＩＳ規格Ａ３サイズの原稿１ページ分をＪＩＳ規格Ａ４サイズの用紙２枚に印刷すること、ＪＩＳ規格Ａ４サイズの原稿１ページ分をＪＩＳ規格Ａ５サイズの用紙２枚に印刷することである。
【００１７】
配信元の画像通信装置の印刷手段において、ファクシミリ受信した画像情報にかかる画像や画像読取り手段により読み取った画像を分割印刷するように設定されているときは、配信元の画像通信装置では、配信する画像を分割印刷の形態にデータ変換して配信する。これにより、配信先の画像通信装置側では、プリンタ等に何らの設定を行せずに分割印刷を実現できる。これにより、配信先の画像通信装置側では、画像が小さくて読みにくいために２つの画像に拡大分割して印刷する、といった手間を省くことができ、また紙の無駄をなくすことができる。
【００１８】
本発明において、逆順出力とは、受信した文書（画像情報）のページ順を逆の順序にして出力することである。転送元の画像通信装置が、ＡＤＦ（自動文書フィーダ）やシートＤＦ（シート文書フィーダ）でページの最後から読み取った文書をファクシミリ受信して画像情報蓄積手段に蓄積した場合、あるいは転送元の画像通信装置が、ＡＤＦやシートＤＦでページの最後から読み取った文書を画像情報蓄積手段に蓄積した場合に有効である。すなわち、このように、ページの最後から蓄積された画像情報を、配信先の画像通信装置にそのまま配信した場合、従来では配信先の画像通信装置には逆順に配信され、その配信した画像ファイルを印刷した場合は、ページが逆順になって出力される。
【００１９】
これに対して、本発明の画像通信装置では、配信に際してページを逆順にして配信することで、逆順の画像情報も、配信先の画像通信装置側で正しいページ順に表示出力され、また任意のプリンタ等で印刷したときにも正しいページ順で印刷出力される。
【００２０】
本発明において、マルチ部数印刷とは、受信した画像情報を複数部数印刷出力する機能である。転送元の画像通信装置で、マルチ部数の印刷を行なっても、配信に際してはマルチ部数印刷が反映されない。これに対して、本発明では、配信に際して、画像情報を複数コピー（作成）し、複数の同一画像情報を配信することで、送信先の画像処理装置側でマルチ部数印刷機能と同一の機能を実現できる。
【００２１】
【発明の実施の形態】
図１は本発明の画像通信装置の実施形態を示す説明図である。図１において、画像通信装置（ファクシミリ装置１）は、画像読取り手段１１と、ファクシミリ通信手段１２と、ネットワーク接続手段１３と、画像蓄積手段１４と、画像情報変更手段１５と、印刷手段１６と、表示手段１７と、配信画像タイプ選択手段１８と、制御手段１９を備えている。
【００２２】
画像読取り手段１１は、原稿画像を正順または逆順に読み取り、これを画像情報ファイルとして画像蓄積手段１４に蓄積することができる。
【００２３】
ファクシミリ通信手段１２は、公衆回線１００を介して他のファクシミリ装置から受信した画像を画像情報ファイルとして画像蓄積手段１４に蓄積することができる。
ネットワーク接続手段１３は、ネットワーク２００を介して画像蓄積手段１４に蓄積した画像情報ファイルを、電子メールに添付する等、適宜の手段により配信先の画像通信装置に送信することができる。
【００２４】
画像蓄積手段１４は、上述したように画像読取り手段１１により読み取った原稿画像、あるいはファクシミリ通信手段１２を介して受信した画像情報にかかる画像を蓄積することができる。
画像情報変更手段１５は、画像蓄積手段１４に蓄積した画像の配信に際して、画像出力形態の設定に従った画像情報に変換することができる。
【００２５】
印刷手段１６は、画像蓄積手段１４に蓄積した画像を印刷出力することができる。
表示手段１７は、液晶等のディスプレイであり、画像蓄積手段１４に蓄積した画像を表示することができる。
配信画像タイプ選択手段１８は、配信画像を通常の画像として配信するか、印刷態様に従った画像に変換して出力するかをユーザが選択する機能を備えている。
制御手段１９は、ファクシミリ装置１の全体を制御するもので、配信画像タイプ選択手段１８により、印刷態様に従った画像に変換して出力するか否かの情報、印刷態様に従った画像に変換して出力する場合に印刷態様は、どのように設定されているかの情報等を取得することができる。
【００２６】
以下、図１のファクシミリ装置１の動作を図２〜図４のフローチャートに従って説明する。
図２は、ファクシミリ装置１が集約印刷をした場合の例を示しており、まず、ファクシミリ通信手段１２を介して画像情報を受信し、画像読取り手段１１により原稿画像の読み取りが行なわれ所定の配信先への送信開始手続きが完了すると、ファクシミリ配信処理が開始される（Ｓ１０１）。
【００２７】
次に、送信ページナンバをＮＯ＝１にセットする（Ｓ１０２）。次いで、制御装置１９は、印刷手段１６が集約印刷をするように設定されているかをチェック（Ｓ１０３）、集約印刷するようにセットされているとき（集約印刷機能ＯＮ）は、Ｎページ目およびＮ＋１ページ目を所定のワークメモリ（本実施形態では、制御手段１９に含まれている）に展開して合成し（Ｓ１０４，Ｓ１０５）、Ｎを「２」インクリメントして（Ｓ１０６）、ワークメモリ上の画像情報を、配信先の画像通信装置に配信する（Ｓ１０９）。
【００２８】
一方、ステップＳ１０３で集約印刷するようにはセットされていないときには、Ｎページ目をワークメモリに展開し（Ｓ１０７）、Ｎを「１」インクリメントして（Ｓ１０８）、ワークメモリ上の画像情報を、配信先の画像通信装置に配信する（Ｓ１０９）。次に、Ｎが最終ページナンバであるか否かをチェックし（Ｓ１１０）、最終ページナンバでないときは、処理をステップＳ１０３に戻し、Ｓ１０３〜Ｓ１０９の処理を繰り返すが、Ｎが最終ページナンバであるときは処理を終了する。
【００２９】
図４は、ファクシミリ装置１が逆順印刷をした場合の例を示しており、所定の配信先への送信開始手続きが完了すると、ファクシミリ配信処理が開始される（Ｓ２０１）。
【００３０】
次に、送信ページナンバをＮＯ＝１にセットする（Ｓ２０２）。次いで、制御装置１９は、印刷手段１６が逆順印刷をするように設定されているかをチェック（Ｓ２０３）、逆順印刷するようにセットされているとき（逆順印刷機能ＯＮ）のときは、（最終ページ）＋（１−Ｎ）をワークメモリに展開し（Ｓ２０４）、Ｎを「１」インクリメントし（Ｓ２０６）、ワークメモリ上の画像情報を配信先の画像通信装置に配信する（Ｓ２０７）。Ｓ２０３で、逆順印刷するようにセットされていないときは、Ｎページ目をワークメモリに展開し（Ｓ２０５）、Ｎを「１」インクリメントして（Ｓ２０６）、ワークメモリ上の画像情報を配信先の画像通信装置に配信する（Ｓ２０７）。次に、Ｎが最終ページナンバであるか否かをチェックし（Ｓ２０８）、最終ページナンバでないときは、処理をステップＳ２０３に戻しＳ２０３〜Ｓ２０７の処理を繰り返すが、Ｎが最終ページナンバであるときは処理を終了する。
【００３１】
図３は、ファクシミリ装置１がマルチ部数印刷をした場合の例を示しており、所定の配信先への送信開始手続きが完了すると、ファクシミリ配信処理が開始される（Ｓ３０１）。
【００３２】
次に、送信ページナンバをＮＯ＝１にセットする（Ｓ３０２）。次いで、制御装置１９は、印刷手段１６がマルチ部数印刷をするように設定されているかをチェック（Ｓ３０３）、マルチ部数印刷するようにセットされているとき（マルチ部数印刷機能ＯＮ）のときは、転送部数パレーメタＢに部数の値（「２」以上の数値）をセットする（Ｂ＝転送部数）（Ｓ３０４）。Ｓ３０３で、マルチ部数印刷するようにセットされていないときは、転送部数パレーメタＢに値「１」をセットする（Ｓ３０５）。ついで、Ｎページ目をワークメモリに展開し（Ｓ３０６）、Ｎを「１」インクリメントして（Ｓ３０７）、ワークメモリ上の画像情報を配信先の画像通信装置に配信する（Ｓ３０８）。
【００３３】
次に、Ｎが最終ページナンバであるか否かをチェックし（Ｓ３０９）、最終ページナンバでないときは、処理をステップＳ３０６に戻しＳ３０６〜Ｓ３０８の処理を繰り返すが、Ｎが最終ページナンバであるときは、転送部数Ｂの値を「１」デクリメントして（Ｓ３１０）、Ｂが「０」であるか否か（Ｂ＝＝０）をチェックし（Ｓ３１１）、Ｂが「０」でないときは処理をステップＳ３０６に戻し、Ｂが「０」のときは処理を終了する。
【００３４】
【発明の効果】
配信先の画像通信装置でも、配信元の画像通信装置側で設定されていた集約出力（印刷出力，表示出力）、分割出力、逆順出力（印刷出力，表示出力）、マルチ部数印刷の形態で配信データを得ることができる。
配信元の画像通信装置側で集約印刷が設定されている場合、たとえば配信先の画像通信装置側で任意のプリンタで出力した際にも、配信元の画像通信装置側で得られると同様の印刷物を得ることができる。また、配信元の画像通信装置側でＪＩＳ規格Ａ５サイズの原稿画像２枚を受信した場合において、配信先の画像通信装置側のプリンタにＪＩＳ規格Ａ５用紙の印刷機能がない場合でも、集約印刷でＪＩＳ規格Ａ４用紙１枚のデータとして配信されていれば紙の節約となる。この場合、ＪＩＳ規格Ａ５用紙で印刷できなければ、ＪＩＳ規格Ａ４用紙２枚にそれぞれＪＩＳ規格Ａ５サイズのデータを印刷することになる。
【００３５】
また、配信元の画像通信装置側でマルチ部数印刷が設定されている場合、たとえば配信先の画像通信装置側で任意のプリンタで出力した際にも、配信元の画像通信装置側で得られる出力順と同一の出力順で印刷物を得ることができる。すなわち、配信元の画像通信装置が、ＡＤＦやシートＤＦでページの最後から読み取りを行い送信してくるファクシミリから画像情報を受信した際にも、配信元の画像通信装置側で順序を入れ替えて配信するので、配信先の画像通信装置は、文書のページ順を正しく並び替えられた画像情報を受け取ることができる。
【００３６】
さらに、配信元の画像通信装置側でマルチ部数印刷が設定されている場合、たとえば配信先の画像通信装置側で任意のプリンタで出力した際にも、配信元の画像通信装置側で得られる部数と同一部数の印刷物を得ることができる。したがって、配信先の画像通信装置側のプリンタで部数指定する必要がなくなる。
【図面の簡単な説明】
【図１】本発明の画像通信装置の一実施形態にかかるファクシミリ装置を示す機能ブロック図である。
【図２】図１のファクシミリ装置で集約印刷をした場合の配信の処理例を示すフローチャートである。
【図３】図１のファクシミリ装置で逆順印刷をした場合の配信の処理例を示すフローチャートである。
【図４】図１のファクシミリ装置でマルチ部数印刷をした場合の配信の処理例を示すフローチャートである。
【符号の説明】
１　ファクシミリ装置
１１　画像読取り手段
１２　ファクシミリ通信手段
１３　ネットワーク接続手段
１４　画像蓄積手段
１５　画像情報変更手段
１６　印刷手段
１７　表示手段
１８　配信画像タイプ選択手段
１９　制御手段
【図１】
2004072156.tif 000003
【図２】
2004072156.tif 000004
【図３】
2004072156.tif 000005
【図４】
2004072156.tif 000006